(57)【特許請求の範囲】
【請求項１】
地山の法面の肩部に設置され、法面作業に用いられる親綱を支持する親綱支持装置であって、
法面の肩部に固定支柱が設置され、固定支柱の基端部に回転部が装着され、回転部に前記固定支柱の周囲に所定の範囲で回動可能な可動支柱の基端部が取付けられ、
親綱は、その一端が法面の肩部に固定支持されると共に、途中が前記固定支柱の上端および可動支柱の自由端に支持されて、他端が法面作業する作業者の身体に掛止され、
固定支柱は、当該固定支柱の上端と前記法面の肩部との間に張設された複数の張設部材により法面の肩部に固定されていることを特徴とする親綱支持装置。
【請求項２】
地山の法面の肩部に設置され、法面作業に用いられる親綱を支持する親綱支持装置であって、
法面の肩部に固定支柱が設置され、法面の肩部であって固定支柱の基端部近傍に回転部が設置され、回転部に前記固定支柱の周囲に所定の範囲で回動可能な可動支柱の基端部が取付けられ、
親綱は、その一端が法面の肩部に固定支持されると共に、途中が前記固定支柱の上端および可動支柱の自由端に支持されて、他端が法面作業する作業者の身体に掛止され、
固定支柱は、複数の支柱材の組み合わせにより法面の肩部に自立されていることを特徴とする親綱支持装置。
【請求項３】
地山の法面の肩部に設置され、法面作業に用いられる親綱を支持する親綱支持装置であって、
法面の肩部に立設された固定木と、固定木に回転部を介して固定木の周囲に回動可能に支持された可動支柱とを備え、
親綱は、その一端が法面の肩部に固定支持されると共に、途中が前記固定木の一部および可動支柱の自由端に支持されて、他端が法面作業する作業者の身体に掛止されることを特徴とする親綱支持装置。
【請求項４】
回転部は、可動支柱の基端部に取付けられ、固定木の外面に沿って回動可能な湾曲状部材からなることを特徴とする請求項３記載の親綱支持装置。
【請求項５】
法面の肩部に親綱支持装置を設置し、親綱支持装置により支持された親綱を作業者の身体に掛止して法面作業を行う法面の作業方法であって、
法面の肩部に立設する固定木に対し回転部を備える可動支柱を前記回転部を介して支持し、
親綱を、その一端を法面の肩部に固定支持すると共に、途中を前記固定木の一部および可動支柱の自由端にそれぞれ支持させ、他端を作業者の身体に掛止し、
可動支柱の所定の範囲で回動させながら、前記作業者が法面上で法面作業を行うことを特徴とする、親綱支持装置を用いる法面の作業方法。
【発明の詳細な説明】
【技術分野】
【０００１】
本発明は、地山等の法面作業に用いる親綱を支持する親綱支持装置と、同親綱支持装置を用いる法面の作業方法に関するものである。
【背景技術】
【０００２】
地山等の法面に対する作業、例えば、法面に対するモルタル吹付け作業、コンクリートブロック敷設作業、緑化工事等においては、傾斜する法面に沿って作業者が降下しながら作業を行う必要がある。このため、例えば法面の肩部に立設する立木に親綱の一端を結び付けて、親綱の他端を法面に沿って下ろし、作業者の腰回りに装着した安全ベルトを親綱に掛止して、作業者が親綱に吊下げられた姿勢で法面の作業を行うようにしている。
【０００３】
この主の作業方法として、例えば、法面の肩部の立木に結び付けた命綱を法面に降ろし、作業者が命綱を身体に繰り出し可能に装着し、命綱に沿って昇降する方法が提案されている（特許文献１参照）。また、別の例として、法面の肩部に横移動用のロープと横行ウインチを設置し、横移動用のロープから法面にロープを降ろし、作業者がロープに沿って昇降し、横行ウインチを作動させて横移動する方法が提案されている（特許文献２参照）。
【先行技術文献】
【特許文献】
【０００４】
【特許文献１】特開２００２−１４６７９４号公報
【特許文献２】特開平１１−３６３０９号公報
【発明の概要】
【発明が解決しようとする課題】
【０００５】
しかしながら、上記従来の前者の作業方法によれば、法面に沿って作業中の作業者が命綱に吊下げられたまま横移動できる範囲が極めて制限されており、作業効率が悪いという問題がった。また、後者の作業方法によれば、横移動用のロープと横行ウインチ等の装置の設置が大掛かりで、法面の肩部に比較的広い場所を確保する必要があり、実際の設置および運用には多くの困難が伴っていた。
【０００６】
本発明は、前記事情に鑑みてなされたもので、法面の肩部に容易に設置し得ると共に、親綱によって吊下げられた法面上の作業者の横移動の範囲を容易に拡大し、作業効率の向上を図ることのできる親綱支持装置と、同親綱支持装置を用いる法面の作業方法を提供することを目的とする。
【課題を解決するための手段】
【０００７】
上記課題を解決するために、本発明は、地山の法面の肩部に設置し、法面作業に用いる親綱を支持する親綱支持装置であって、
法面の肩部に固定支柱を設置し、固定支柱の基端部に回転部を装着し、回転部に前記固定支柱の周囲に所定の範囲で回動可能な可動支柱の基端部を取付け、
親綱は、その一端を法面の肩部に固定支持すると共に、途中を前記固定支柱の上端および可動支柱の自由端に支持して、他端を法面作業する作業者の身体に掛止することを特徴とする。
【０００９】
本発明は、地山の法面の肩部に設置し、法面作業に用いる親綱を支持する親綱支持装置であって、
法面の肩部に固定支柱を設置し、法面の肩部であって固定支柱の基端部近傍に回転部を設置し、回転部に前記固定支柱の周囲に所定の範囲で回動可能な可動支柱の基端部を取付け、
親綱は、その一端を法面の肩部に固定支持すると共に、途中を前記固定支柱の上端および可動支柱の自由端に支持して、他端を法面作業する作業者の身体に掛止し、
固定支柱は、複数の支柱材の組み合わせにより法面の肩部に自立させることを特徴とする。
【００１１】
本発明は、地山の法面の肩部に設置し、法面作業に用いる親綱を支持する親綱支持装置であって、
法面の肩部に立設された固定木と、固定木に回転部を介して固定木の周囲に回動可能に支持された可動支柱とを備え、
親綱は、その一端を法面の肩部に固定支持すると共に、途中を前記固定木の一部および可動支柱の自由端に支持して、他端を法面作業する作業者の身体に掛止することを第３の特徴とする。
【００１２】
回転部は、可動支柱の基端部に取付け、固定木の外面に沿って回動可能な湾曲状部材からなることが望ましい。
【００１４】
本発明は、地山の法面の肩部に親綱支持装置を設置し、親綱支持装置により支持された親綱を作業者の身体に掛止して法面の作業を行う作業方法であって、
法面の肩部に立設する固定木に対し回転部を備える可動支柱を前記回転部を介して支持し、
親綱を、その一端を法面の肩部に固定支持すると共に、途中を前記固定木の一部および可動支柱の自由端にそれぞれ支持させ、他端を作業者の身体に掛止し、
可動支柱の所定の範囲で回動させながら、前記作業者が法面上で法面作業を行うことを第２の特徴とする。
【発明の効果】
【００１５】
以上説明したように、本発明に係る親綱支持装置によれば、法面の肩部に固定支柱と可動支柱を設置し、親綱は一端を法面の肩部に固定し、他端は前記固定支柱の上端および可動支柱の自由端を経由して作業者の身体に掛止すればよいから、法面の肩部に親綱支持装置を容易に設置することができる。
【００１６】
また、親綱を操作しながら可動支柱を固定支柱や回転部あるいは固定木の回りに回動させることにより、法面上の作業者が容易に横移動でき、しかも、横移動できる範囲が広く、作業効率の向上を図ることができる。また、これにより作業者の作業負担の軽減を図ることができる。
【００１７】
さらに、本発明に係る親綱支持装置によれば、肩部に設置した固定支柱および可動支柱を経由して親綱を法面に垂らすから、親綱と法面肩部との接触や摩擦を回避することができ、親綱の破損の防止を図り、法面作業を安全に行うことができる。
【００１８】
また、本発明に係る法面の作業方法によれば、上述の親綱支持装置を用いることにより、法面作業の効率化と作業負担の軽減を図ると共に、合せて法面作業の安全を確保し、法面作業の施工品質の向上を図ることができる。
【図面の簡単な説明】
【００１９】
【図１】本発明の第１の実施形態を示すもので、法面の肩部に設置した親綱支持装置を用いて、法面にモルタル吹付作業をしている様子を示す側面図、
【図２】親綱支持装置における可動支柱と回転部の取付状態を示す要部側面図、
【図３】親綱支持装置における固定支柱の設置状態を示す正面図、
【図４】親綱支持装置における可動支柱の可動範囲を示す平面図、
【図５】図２に示す可動支柱と回転部の取付状態を示す要部平面図、
【図６】固定支柱の上端に固定クリップで親綱を固定した状態を示す要部正面図、
【図７】可動支柱の自由端に固定クリップで親綱を固定した状態を示す要部側面図、
【図８】本発明の第２の実施形態を示すもので、法面の肩部に親綱支持装置を設置した状態を示す側面図、
【図９】法面の肩部に固定支柱を設置した状態を示す正面図、
【図１０】図８に示す可動支柱と回転部の取付状態を示す要部側面図、
【図１１】本発明の第３の実施形態を示すもので、法面の肩部に親綱支持装置を設置した状態を示す側面図、
【図１２】図１１に示す可動支柱の固定木に対する支持状態を示す要部平面図である。
【発明を実施するための最良の形態】
【００２０】
以下に、本発明に係る実施の形態を、図面を参照して説明する。
【００２１】
図１ないし図７は、本発明に係る第１の実施形態を示すもので、これらの図において、符号１００は親綱支持装置を示している。以下、法面作業の例として、親綱支持装置１００を用いて法面にモルタル吹付けを行う手順について説明する。
【００２２】
まず、最初に、図１に示すように、地山の法面１の肩部２に親綱支持装置１００を設置する。親綱支持装置１００は、固定支柱１１０と、回転部１２０と、可動支柱１３０とを備えている。
【００２３】
固定支柱１１０は、所定の高さの単管パイプ１１１が、図２および図３に示すように、敷板１１２および足場ベース１１３を介してアンカー１１４および２本の支持チェーン１１５により肩部２の地表２ａに固定姿勢で立設されている。すなわち、肩部２の地表２ａに敷板１１２を設置すると共に、敷板１１２の上面に筒部１１３ａを備える足場ベース１１３を設置し、足場ベース１１３の筒部１１３ａの上方からアンカー１１４を挿入し、同アンカー１１４の下部分を敷板１１２の貫通孔１１２ａを通して地中に挿入する。そして、アンカー１１４の上部分に単管パイプ１１１の下端部を外嵌する形でアンカー１１４に支持させて単管パイプ１１１を立設姿勢とし、２本の支持チェーン１１５の各一方を単管パイプ１１１の上端部に掛止し、各他方を肩部２の地表２ａにアンカー１１６で固定する。２本の支持チェーン１１５は、図４に示すように、平面視して互いに１８０度をなす向きに延在させる。かくして固定支柱１１０が肩部２の地表に垂直かつ固定姿勢に設置される。
【００２４】
回転部１２０は、図２および図５に示すように、足場ベース１１３の筒部１１３ａに回転自在に環着されるリング部１２１と、リング部１２１に一体に取り付けられた支持ブラケット１２２とから構成されている。支持ブラケット１２２は、ピン孔１２２ａに挿通される軸部１２３ａを備えるフック部１２３を介して倒立可能な可動支柱１３０の基端部１３０ａを支持するようになっている。かかる回転部１２０は、固定支柱１１０に２本の支持チェーン１１５が架設される前に、足場ベース１１３の筒部１１３ａにリング部１２１が環着されるようになっている。
【００２５】
可動支柱１３０は、所定の長さの単管パイプ１３１からなると共に、上述のように、基端部１３０ａが、軸部１２３ａを備えるフック部１２３を介して回転部１２０の支持ブラケット１２２に倒立可能に支持されると共に、回転部１２０を介して、図４に示すように、可動支柱１３０の自由端１３０ｂ側が固定支柱１１０の回りに所定の範囲（図示例の場合、中央から左右に３０度から６０度）で回動可能とされている。
【００２６】
上記親綱支持装置１００において、図６および図７に示すように、固定支柱１１０の上端および可動支柱１３０の自由端には、それぞれ親綱１０を固定する固定クリップ１４０が取り付けられている。同固定クリップ１４０は、固定支柱１１０の上端および可動支柱１３０の自由端に固定される下固定部材１４１と、左右のボルト部材１４２を介して、下固定部材１４１との間で親綱１０を挟持して固定する上固定部材１４３とから構成され、上固定部材１４３の一部には、支持チェーン１１５の一方を掛止するフック部１４４が設けられている。
【００２７】
そこで、固定支柱１１０を立設する前に、固定支柱１１０の上端の固定クリップ１４０に親綱１０の第１の固定位置Ｋ１を固定しておく。親綱１０の第１の固定位置Ｋ１を固定クリップ１４０に固定するには、ボルト部材１４２を緩めて、下固定部材１４１と上固定部材１４３の隙間に親綱１０を通し、第１の固定位置Ｋ１を合せて、ボルト部材１４２を締め、下固定部材１４１と上固定部材１４３で親綱１０の第１の固定位置Ｋ１を固定する。
【００２８】
可動支柱１３０の自由端の固定クリップ１４０に親綱１０の第２の固定位置Ｋ２を固定するには、可動支柱１３０の基端部１３０ａが回動部１２０に支持された状態で、上述の方法によって行う。第２の固定位置Ｋ２は任意に設定可能であり、例えば、固定支柱１１０と可動支柱１３０のなす角度が３０度になるように、すなわち、肩部２の表面２ａと可動支柱１３０のなす角度が６０度になるような長さ位置に設定する。
【００２９】
そして、図１に示すように、固定支柱１１０の立設姿勢において、親綱１０の一端１０ａを肩部２の表面２ａに２本のアンカー１１７により固定し、親綱１０の他端１０ｂを法面１に沿って垂らすようにする。
【００３０】
このようにして、親綱支持装置１００を肩部２の表面に設置し、親綱２を親綱支持装置１００に支持させたら、法面１に垂らされた親綱１０に作業者Ｍの腰部の安全ベルト２０を掛止し、親綱１０により吊下げられた姿勢で肩部２から法面１に降りて、モルタル吹付け作業を行う。
【００３１】
親綱支持装置１００を用いることにより、作業者Ｍは、担いだホース３０の先端からモルタルを法面１の表面に吹付けつつ、安全ベルト２０に掛止された親綱１０を操作して可動支柱１３０を固定支柱１１０の回りに一方向に回動させ（スイングさせ）、可動支柱１３０の可動範囲で、法面１に沿って自身を横移動させることができる。
【００３２】
可動支柱１３０の可動範囲（図４参照）の一方限に至ると、親綱１０を緩めて一段降下し、そこから可動支柱１３０を反対方向に回動させつつ、モルタルの吹付け作業を、可動支柱１３０の可動範囲の他方限に至るまで横移動しながら、行う。このようにして法面１の下端位置までモルタルの吹付け作業を行うと、親綱１０を把持しながら法面１に沿って肩部２に昇り、親綱支持装置１００の設置位置を隣に変えて、法面１に再び降り、モルタル吹付け作業を継続して行う。
【００３３】
親綱支持装置１００を用いることにより、法面１に沿って作業者Ｍが親綱１０を操作しながら横移動と降下を繰り返し、モルタル吹付作業を効率よく行なえると共に、施工品質も向上させることができる。モルタル吹付作業はホース３０を担いでの重労働であるから、作業負担の軽減が図れる点は作業者にとって非常に大きい。
【００３４】
図８ないし図１０は、本発明の第２の実施形態を示すもので、これらの図において図１と同一部材には同一符号を付してその説明を省略する。
【００３５】
本実施形態の親綱支持装置１００’は、図８および図９に示すように、固定支柱１１０’が、上端がジョイント部材１１８により互いに接合された一組の単管パイプ１１１，１１１からなるもので、各単管パイプ１１１，１１１は、図９に示すように、各上端から肩部２の地表にかけて４５度の角度で傾斜している。すなわち、支持チェーンによることなく、２本一組の単管パイプ１１１，１１１どうしで肩部２の地表に自立するようになっている。この単管パイプ１１１は３本で自立させてもよい。
【００３６】
また、可動支柱１３０は、図８に示すように、肩部２の地表で固定支柱１１０’の中心位置（ジョイント部材１１８の直下位置）にアンカー１１４により固定状態に設置された回転部１２０により、回転部１２０の回り、すなわち固定支柱１１０’の中心位置の回りに所定の範囲（６０度〜１２０度）回動させることができるようになっている。図１０に肩部２の地表に対する回転部１２０の固定状態および回転部１２０に対する可動支柱１３０の支持状態を示す。回転部１２０は、図２に示す構造と同一でありその説明は省略する。
【００３７】
親綱１０は、図８および図９に示すように、第１の固定位置Ｋ１が固定支柱１１０’の単管パイプ１１１，１１１の上端における交差部に挟持されるか、同上端に巻き付けることにより固定され、第２の固定位置Ｋ２が可動支柱１３０の固定クリップ１４０により固定されている。
【００３８】
本実施形態の親綱支持装置１００’によっても、法面１に沿って横移動と降下を交互に繰り返しながら、モルタル吹付作業を効率よく行なうことができる。また、施工品質も向上させることができる。
【００３９】
図１１および図１２は、本発明に係る第３の実施形態を示すもので、これらの図において図１と同一部材には同一符号を付してその説明を省略する。
【００４０】
本実施形態の親綱支持装置１００’’は、図１１に示すように、肩部２の地表に立設された固定木（立ち木）３が固定支柱の代わりに用いられている。そして、可動支柱１３０’が固定木３の回りに回動可能に支持されている。すなわち、可動支柱１３０’は、単管パイプ１３１の基端部に円弧状の回転支持部（回転部）１３２が取り付けられ、この円弧状の回転支持部１３２が固定木３の外面に当接した状態で、一対の支持チェーン１３，１３により吊り下げ支持されている。なお、固定木３の外面には回転支持部１３２との接触摩擦を防ぐ保護シート５が巻かれている。各支持チェーン１３，１３はそれぞれの下端が回転支持部１３２の両脇のフック部１３３に掛止されると共に、それぞれの上端が固定木３の枝４の根元に掛止されている。
【００４１】
そして、親綱１０の第１の固定位置Ｋ１が固定木３の枝４の股部に掛止または固定されると共に、第２の固定位置Ｋ２が可動支柱１３０’の自由端に固定クリップ１４０により固定されている。これにより、法面１に降りた作業員が親綱１０を操作することにより、可動支柱１３０’を固定木３の周囲に徐々に回動（スイング）せしめ、法面１の作業中に可動支柱１３０’の可動範囲で、容易に横移動することができる。
【００４２】
本実施形態の親綱支持装置１００’’によっても、法面作業を効率よく行なえると共に、施工品質も向上させることができる。
【００４３】
以上説明したように、本発明に係る親綱支持装置を用いることにより、可動支柱の可動範囲において、親綱によって法面上に吊下げられた作業員が横移動しながら法面作業を行うことができるし、横移動範囲を広くとることできる。これにより、法面作業を効率よく行えると共に、作業者の作業負担の軽減を図ることができる。さらには、法面作業の施工品質も向上させることができる。
【００４４】
なお、本発明の親綱支持装置を用いて行える法面作業としては、上述のモルタル吹付け作業の他、コンクリートブロックの敷設作業、ラス網の敷設作業、各種冶具の取り付け作業、緑化工事など、幅広い。親綱支持装置は作業者の昇降用にも用いる。
【００４５】
さらに、法面の肩部は、固定支柱および可動支柱を設置できるスペースがあれば足り、広いスペースを必要としない。したがって、親綱支持装置を容易に設置できる。
【産業上の利用可能性】
【００４６】
本発明に係る親綱支持装置は、地山等の法面作業に用いる親綱を支持する装置として、また、本発明に係る法面の作業方法は、本発明に係る親綱支持装置を用いる作業方法として、利用可能である。
【符号の説明】
【００４７】
１  法面
２  肩部
３  立ち木（固定木）
４  枝
５  保護シート
１０  親綱
２０  安全ベルト
１００  親綱支持装置
１１０  固定支柱
１１１，１３１  単管パイプ
１１２  敷板
１１３  足場ベース
１１４，１１６，１１７  アンカー
１１５，１３４  支持チェーン
１１８  ジョイント部材
１２０  回転部
１２１  リング部
１２２  支持ブラケット
１２２ａ  ピン孔
１２３，１３３，１４４  フック部
１２３ａ  軸部
１３０  可動支柱
１３０ａ  基端部
１３０ｂ  自由端
１３２  円弧部材（回転部）
１４０  固定クリップ
１４１  下固定部材
１４２  ボルト部材
１４３  上固定部材
Ｋ１  第１の固定位置
Ｋ２  第２の固定位置
Ｍ  作業者
【図１】
0005816536.tif 000002
【図２】
0005816536.tif 000003
【図３】
0005816536.tif 000004
【図４】
0005816536.tif 000005
【図５】
0005816536.tif 000006
【図６】
0005816536.tif 000007
【図７】
0005816536.tif 000008
【図８】
0005816536.tif 000009
【図９】
0005816536.tif 000010
【図１０】
0005816536.tif 000011
【図１１】
0005816536.tif 000012
【図１２】
0005816536.tif 000013